(57)【要約】  本発明は、１つの底部（１１）、２つの前壁（１２、１３）および２つの側壁（１４、１５）で作成された、基本的に箱形状のケージ（１０）を含むガビオン（１）に関する。その底部、前壁および側壁は、互いに固定された網のそれぞれ（１１．１、１２．１、１３．１、１４．１、１５．１）からすべてが形成され、２つの区画仕切板（２０、３０）は、ケージの内容積（Ｖ１０）が、底部、前壁または側壁のそれぞれの網を通過できず、また充填材料（７０）がそれらの前区画内に維持するように、区画仕切板も通過できない集合体で作成された充填材料（７０）でそれぞれが充填される、２つの前区画（Ｃ１、Ｃ２）と、区画仕切板に隣接し、粒状の遮音材料（２）を受領できる、中間区画（Ｃ３）とに分割されるように、ケージの内部で互いに側壁にそれぞれが連結し、少なくとも１つの昇降仕切板（５０、６０）は、ケージ内で互いに前壁（１２、１３）に堅固に連結して、前区画および中間区画のそれぞれを通って延在し、中間区画は底部（１１）と反対側に少なくとも１つの把持ハンドル（５１、６１）を提供され、また少なくとも１つの昇降仕切板（５０、６０）は、中間区画内に設置された部分に対して、遮音材料（２）が中間区画内で昇降仕切板の両側面を自由に広がってもよいように、遮音材料の顆粒（２）が中間区画を通過できるように適合される。【選択図】図５
2019507261.tif 000002
【特許請求の範囲】
【請求項１】
ガビオン（１）であって、
基本的に箱形状のケージ（１０）であって、前記ケージは、前記ケージの基部に配置された底部（１１）、前記ケージの２つの対向する横側面上に配置された２つの前壁（１２、１３）、ならびに前記ケージの２つの他方の側壁上に配置された２つの側壁（１４、１５）を含む。前記底部、前記前壁および前記側壁は、一方を他方に固定する網（１１．１、１２．１、１３．１、１４．１、１５．１）からそれぞれが形成される、ケージ（１０）と、
２つの区画仕切板（２０、３０）であって、それぞれは各ケージの内容積（Ｖ１０）を、
２つの前区画（Ｃ１、Ｃ２）であって、それぞれは前記前壁の一方（１２）および前記前壁に最も近い、前記２つの区画仕切板の一方（２０）に隣接し、また前記他方の前壁（１３）と前記他方の区画仕切板（３０）との間にあり、それぞれは集合体で作成された充填材料（７０）で充填され、前記充填材料（７０）は大きいので前記底部、前記前壁および前記側壁のそれぞれの前記網の穴を通過できず、また前記集合体は前記それらの前区画内に維持されるように前記区画仕切板も通過できない、２つの前区画（Ｃ１、Ｃ２）と、
前記区画仕切板の間に隣接し、粒状の遮音材料（２）を受領することができる、中間区画（Ｃ３）と、
に分割するように、前記側壁を前記ケージの内側でそれぞれが互いに堅固に連結する、２つの区画仕切板（２０、３０）と
を含み、
前記ガビオン（１）は、
前記前区画（Ｃ１、Ｃ２）および前記中間区画（Ｃ３）のそれぞれを通って延在することにより、前記ケージ内で前記前壁（１２、１３）を互いに堅固に連結し、
少なくとも１つの把持ハンドル（５１、６１）と篏合する前記底部（１１）と対向し、
前記中間区画内に配列された部分に対して、前記遮音材料（２）が前記中間区画（Ｃ３）内で、前記昇降仕切板（５０、６０）の両側面を自由に広がってもよいために、前記遮音材料顆粒が前記中間区画を通過できるように適合される、
少なくとも１つの昇降仕切板（５０、６０）をさらに含むことを特徴とする、
ガビオン（１）。
【請求項２】
前記充填材料（７０）は、
砕石と、
建築現場の瓦礫と、
クリンカと、
粉砕ガラスと、
木材片、プラスチック片、複合材料片、大理石、白亜、石灰岩、白雲石またはバリウム片と、
二酸化炭素および１つもしくは複数の酸で表面反応を受けた、天然炭酸カルシウムまたは炭酸カルシウム殿物の顆粒であって、前記二酸化炭素はその場で前記酸の作用によって形成され、かつ／または外部源に由来する、天然炭酸カルシウムまたは炭酸カルシウム殿物の顆粒と、
それらの組合せと
を含むことを特徴とする、請求項１に記載のガビオン。
【請求項３】
前記昇降仕切板（５０、６０）は、
それに前記把持ハンドル（複数可）が固定され（５１、６１）、
前記底部（１１）および前記前壁（１２、１３）のそれぞれの前記網（１１．１、１２．１、１３．１）に固定され、前記前区画（Ｃ１、Ｃ２）および前記中間区画（Ｃ３）のそれぞれを通って延在し、
前記昇降仕切板（５０、６０）の両側に広がるように前記遮音材料（２）の前記粒子がその網を通過できる、
平坦な網（５０．１、６０．１）を含むことを特徴とする、請求項１または２に記載のガビオン。
【請求項４】
各区画仕切板（２０、３０）は、各昇降仕切板（５０、６０）の両側にそれぞれが配列される、前記昇降仕切板（５０、６０）のそれぞれの前記網（５０．１、６０．１）に固定された、少なくとも２つの平坦な網（２０．１、２０．２、２０．３、２０．４、３０．１、３０．２、３０．３、３０．４）を含むことを特徴とする、請求項３に記載のガビオン。
【請求項５】
各区画仕切板（２０、３０）の各網（２０．１、２０．２、２０．３、２０．４、３０．１、３０．２、３０．３、３０．４）は、前記底部（１１）の前記網（１１．１）に固定され、前記側壁（１４、１５）にそれぞれが当接する各区画仕切板内の前記２つの網（２０．１、２０．４、３０．１、３０．４）のそれぞれは、前記対応する側壁の前記網（１４．１、１５．１）に固定されることを特徴とする、請求項４に記載のガビオン。
【請求項６】
各区画仕切板（２０、３０）は、前記区画仕切板内の前記網（２０．１、２０．２、２０．３、２０．４、３０．１、３０．２、３０．３、３０．４）のそれぞれに対して、前記中間区画に向かって前記網の全面を覆い、前記遮音材料が前記中間区画（Ｃ３）から前記網を横断するのを防ぐように適合される、ジオテキスタイルまたはジオシンセティック材料のシートも含むことを特徴とする、請求項４または５に記載のガビオン。
【請求項７】
少なくとも２つの把持ハンドル（５１、６１）は、前記前壁を共有して横切る各昇降仕切板（５０、６０）に提供されることを特徴とする、請求項１〜６のいずれか１項に記載のガビオン。
【請求項８】
前記側壁を共有して横切る少なくとも２つのリスティング仕切板（５０、６０）が提供されることを特徴とする、請求項１〜７のいずれか１項に記載のガビオン。
【請求項９】
前記ガビオンは、隔壁仕切板（４０）であって、
前記ケージ内で互いに前記前壁（１２、１３）に堅固に連結し、前記前区画（Ｃ１、Ｃ２）および前記中間区画（Ｃ３）のそれぞれを通って延在し、
前記中間区画内に配列された前記部分に対して、前記遮音材料（２）が前記中間区画（Ｃ３）内で、前記隔壁仕切板（４０）の両側面を自由に広がってもよいように、前記遮音材料の顆粒に前記中間区画を通過させるように適合され、
その両側面に少なくとも２つの昇降仕切板が設置された（５０、６０）、
前記隔壁仕切板（４０）をさらに含むことを特徴とする、請求項８に記載のガビオン。
【請求項１０】
少なくとも１つのガビオンを施工するための工程であって、
前記工程は、各ガビオン（１、１’、１’’）に対して、
移動ステップであって、前記ガビオンが、前記移動ステップの前に前記ガビオンの前記前区画（Ｃ１、Ｃ２）が前記充填材料（７０）で充填される最初の位置から、前記ガビオンがそのホームで最終的に据えられる最後の位置に動かされる過程の間に、前記ガビオンは、その把持ハンドル（５１、６１）を取り付けて引っ張ることにより、その最初の位置とその最後の位置との間で少なくとも１回持ち上げられる、移動ステップと、
前記移動ステップの後、粒状の遮音材料（２）がその最後の位置で前記ガビオンの前記中間区画（Ｃ３、Ｃ３’、Ｃ３’’）の中に注入される間に実施され、前記遮音材料が少なくとも部分的に前記中間区画を充填するまで、前記昇降仕切板（複数可）（５０、６０）を通ることを含み、前記中間区画を通って広がる、充填ステップと
を含むことを特徴とする、請求項１〜９のいずれか１項に記載の工程。
【請求項１１】
前記防音壁は、各ガビオンの前記中間区画（Ｃ３、Ｃ３’、Ｃ３’’）を少なくとも部分的に充填する粒状の遮音材料（２）に加えて、請求項１〜９のいずれか１項に記載の少なくとも１つのガビオン（１、１’、１’’）を含むことを特徴とする、防音壁。
【請求項１２】
前記遮音材料は、
砂と砂利の混合物と、
コンクリートと、
砕いた建物現場の瓦礫と、
砕いた採掘操作の廃棄デブリと、
大理石、白亜、石灰岩、白雲石またはバリウムの砕片と、
二酸化炭素および１つまたは複数の酸で表面反応を受けた天然炭酸カルシウムまたは炭酸カルシウム殿物の顆粒であって、前記二酸化炭素は前記酸（複数可）の作用によりその場で形成され、かつ／または外部源に由来する、天然炭酸カルシウムまたは炭酸カルシウム殿物の顆粒と、
それらの混合物と
を含むことを特徴とする、請求項１１に記載の防音壁。
【請求項１３】
前記遮音材料は、
少なくとも２つのガビオン（１、１’）であって、前記２つのガビオン（１、１’）のそれぞれの少なくとも一部に対して、前記それらのガビオンの前記それぞれの中間区画（Ｃ３、Ｃ３’）が互いの上に垂直方向に少なくとも部分的に設置されるように、また各ガビオンの前記底部（１１）において前記網（１１．１）が前記遮音材料の顆粒を通過させるように、前記この遮音材料が、前記それらの中間区画の間に設置された前記底部を連続して通る前記ガビオンの前記それぞれの中間区画内で合流してもよいように、互いの上部の上に積み重ねられる、少なくとも２つのガビオン（１、１’）と、
少なくとも２つのガビオン（１、１’’）であって、前記２つのガビオン（１、１’’）のそれぞれの少なくとも一部に対して、前記ガビオンの前記一方の前記側壁の１つ（１４）を前記他方のガビオンの前記側壁の１つ（１５’’）に当接させることにより、前記それらのガビオンの前記それぞれの中間区画（Ｃ３、Ｃ３’’）が、互いから水平方向に少なくとも部分的に横切るように、また各ガビオンの前記側壁（１４、１５）の前記網（１４．１、１５．１）により、前記遮音材料の前記顆粒が通過できるように（２）、前記遮音材料が、前記側壁および前記それらの中間区画を連続して通る前記ガビオンの前記それぞれの中間区画と合流するように、互いに並置される、少なくとも２つのガビオン（１、１’’）と
をさらに含むことを特徴とする、請求項１１または１２に記載の防音壁。
【請求項１４】
前記防音壁は、前記ガビオン（複数可）（１）の前記中間区画（Ｃ３）に対して、前記遮音材料が前記中間区画から前記側壁を横切るのを停止するように、前記ガビオンの前記２つの側壁の１つ（１５）の前記外面に加えられた、少なくとも１つの側部閉塞要素（１０３）をさらに含むことを特徴とする、請求項１１〜１３のいずれか１項に記載の防音壁。
【請求項１５】
防音壁および／または耐火壁を土木工事、公共事業、または産業もしくは個人設備に築くために、請求項１〜９のいずれか１項に記載の少なくとも１つのガビオンの使用。
【発明の詳細な説明】
【技術分野】
【０００１】
本発明はガビオン、および該ガビオンを含む防音壁に関する。また本発明は該ガビオンを作成するための工程にも関する。
【背景技術】
【０００２】
ガビオンは個別の建築構成要素であり、建築構成要素はいくつかの試料を積み重ね、かつ／または並置することを通して、特に土木工学、公共事業、および個人のための建築の分野で施工される作業を可能にする。最も一般的に広まっているその基本形において、ガビオンは、箱型ケージからなり、その底部、４つの側壁、および適切な場合は蓋が、通常クリップ、鋼ワイヤタイ、および／または溶接を使用してそれぞれを互いに固定した、平坦な網片から作成される。次いでケージは砕石で、またはより一般的には同様の粒状材料で充填され、その集合体は網内の穴を通過できないので、ケージ内に保持される。積み重ねられた、かつ／または並置されたガビオンケージは、クリップまたはワイヤタイを使用して一緒に縛られる。
【０００３】
本発明は、より詳細には、例えば道路もしくは鉄道線路に沿って、または産業用もしくは個人用環境において、遮音スクリーンとも呼ばれる防音壁の施工におけるガビオンの使用に関する。
【０００４】
これに関連して、独国実用新案第２０２００６００３０５０Ｕ１号は、砂が砕石または同様の凝集体材料より良好な遮音を提供するので、ガビオンの吸音性能を増加する砂の層をガビオンケージの中に置くために、ガビオンケージの内容積を区画に分けることを提案している。これを行うために、２つの区画仕切板は、中心区画がそれらの２つの区画仕切板の間に形成されるように、ケージの側壁の一方を２つの反対の側壁に連結してケージ内に設置される。容積の残余部は、中心区画の両側の２つの端部区画に分けられる。各端部区画は、砕石または同様の充填材料で充填される一方で、中心区画は砂で充填された袋を収納する。独国実用新案第２０２００６００３０５０Ｕ１号は、ガビオンを組み立てるやり方も、ガビオンをその組立体の場所からその使用する最後の場所までの取り扱い方のどちらも詳述していない。すなわち砂袋は数１０キロの重量の閉じたポケットに対応するという事実のために、予め組み立てられたケージの中心区画内に砂袋を位置付けることは、袋が裂ける危険がある非常に繊細な操作であり、さもなければケージが予め位置付けられた袋の「周囲」にその場で組み立てられ、次いで砂袋をケージ内の適所に置くときに、端部区画の充填が行われ、端部区画内に置かれた充填材料により袋が裂ける可能性がある危険が常にあることが想像できる。すべての場合において、ケージが一旦砂袋および砕石などの充填材料を含有すると、その処理は、特にガビオンをその最後の位置に据え、他のガビオンの上に積み重ね、かつ／または並置するときに、等しく困難である。これもやはり、特に防音壁を築く必要がある様々な種類の処理の間に、袋が裂けて砂のすべてまたは一部が失われる危険があることを特徴とする。さらに２つの積み重ねられた、かつ／または並置されたガビオンの間の接合部において、遮音は隙間が残って形成された状態によって低下する。これらの隙間は、局所でもそれぞれのガビオンの砂袋の間に存在する傾向がある。袋がその縁部の周りで膨張するにもかかわらず、それらの膨張の存在により、ガビオンを処理している間にそれらの膨張の場所で袋が避ける危険がさらに大きく増す。
【０００５】
これに関して仏国特許出願公開第２９０２８０８Ａ１号は、それぞれが砕石で完全に充填された「基本的」に積み重ねられたガビオンを２列置くことにより、防音壁を作成する一方で、それらの２列の間に遮音材料で作成された心材が置かれる空間を生成することを提案している。実際には、遮音材料は、２列の積み重ねられたガビオンの間に直接流し込まれるコンクリートである。この解決策の利点は、防音壁に沿ってすべてが連続して延在する遮音心材を獲得し、充分な高さを獲得することである。しかしその解決策は、特にガビオンの数が２倍になり、施工に時間が掛かるので、とりわけ高額であり難しい。
【発明の概要】
【発明が解決しようとする課題】
【０００６】
本発明の目的は、良好な遮音性能を達成できるが、経済的であり、迅速に容易に施工される、ガビオンを提供することである。
【課題を解決するための手段】
【０００７】
このために、本発明は請求項１に定義されたようなガビオンに関する。
【０００８】
また本発明は、請求項１０に定義されたような少なくとも１つのそのようなガビオンを施工する工程にも関与する。
【０００９】
本発明の恩恵により、非常に良好な音響特性を提供する防音壁を迅速に経済的に構築することができる。事実、本発明によるガビオンは、前区画が「重い」集合体充填材料で予め充填されている場合に、クレーンリフトを使用して、その仕切板（複数可）上の把持ハンドル（複数可）を使用して迅速で確実なやり方で処理することができる。さらに昇降仕切板（複数可）は、その充填のしやすさに大きく影響を与えることなく、前区画を充填中、ならびに移送処理およびガビオンを位置付けている間のいずれもケージの構築の安定性に貢献する。加えてそれらの昇降仕切板（複数可）により、ガビオンが一旦その最終位置、通常は防音壁内に位置付けられると、遮音集合体材料をガビオン内の中間仕切板の中に通過させ、ガビオン内の中間仕切板の中に直接注入することができる。したがってその遮音材料は、重力により昇降仕切板（複数可）を通ることを含み、中間仕切板の全体または一部を通して広がり、有利なことに中間区画の縁部を形成する底部網の一部のために底部網を、また中間区画に隣接するそれらの側壁の一部のために側壁上のそれぞれの網を被覆する。ガビオンが本発明に準拠する他のガビオンと積み重ねられ、かつ／または並置されるとき、特に防音壁を形成するとき、遮音材料は、このようにしてガビオンのそれぞれの中間区画に沿って連続した接合部を形成することができ、その結果遮音は個別に取られた各ガビオン内に、また積み重ねられ、かつ／または並置されたガビオンの間の両方に連続した方式で達成される。またガビオン間の接合部が連続しているという事実のために、壁の安定性も向上する。
【００１０】
本発明によるガビオンのさらなる有益な特徴は、従属請求項２〜９に提供される。
【００１１】
また本発明は請求項１１に定義されたような防音壁にも関する。この防音壁のさらなる有益な特徴は請求項１２〜１４に提供される。
【００１２】
また本発明は、請求項１５に定義されたような少なくとも１つのガビオンの使用にも関する。
【００１３】
本発明は、単に例として与えられた以下の記載を読み、図面を参照すると、より明確に理解することができる。
【図面の簡単な説明】
【００１４】
【図１】その充填材料が視覚的理由のために示されていない、本発明に準拠するガビオンの等角投影図である。
【図２】ガビオン構成要素の２つの群の分解図を示す、図１と同様の図である。
【図３】図１のガビオンの１つの構成要素（それのみを示した）の立面図である。
【図４】図３に示された構成要素を含む、ガビオン構成要素の１つの群の等角投影図である。
【図５】ガビオンを図１における矢印Ｖに従って見た際の、概略的に透視した方式で描かれた充填材料とともに表された、図１からのガビオンの実際の斜視図である。
【図６】図５においてＶＩ−ＶＩ線に沿った概略断面図である。
【図７】図１におけるガビオンの数個の例を施工する際に２つの異なるステップを示す図である。
【図８】図１におけるガビオンの数個の例を施工する際に２つの異なるステップを示す図である。
【発明を実施するための形態】
【００１５】
図１〜図６はガビオン１を表す。
【００１６】
図１、図２、図５および図６に明確に見られるように、ガビオン１は、内側および外側のどちらも全体が箱形状のケージ１０を含む。便宜上、ケージ１０の箱形状がガビオン１の使用時として配向される、すなわちその箱形状の底部が水平に延在し、箱形状の残余部に比べて下方に向けられる一方で、箱形状の４側面はその基部から垂直に上方に延在するとみなす方に向かって記載の残余部は向けられている。
【００１７】
図２、図５および図６に明確に見られるように、ケージ１０はその基部において水平底部１１を含む。その底部１１が平坦な網１１．１から形成される場合は、通常金属で作成される。例としてであって限定としてではなく、網１１．１は金属ワイヤのマットからなり、それらの一部は互いに平行である一方で、他方は前のワイヤから垂直に延在し、これらの様々なワイヤは、開いた格子模様を形成し、その網はすなわち開口が長方形または正方形の断面を有するように、互いから少し離れて配置される。実際にそれ自体が周知のやり方で、上に言及された金属ワイヤは、網１１．１を獲得するために一緒に撚られ、かつ／または半田付けされる。網１１．１の施工の他の形は、図示されていない変形とみなすことができる。同じやり方で、例として、網１１．１の材料は表面を亜鉛メッキした鋼であり、他の金属材料または複合材料でさえも、以下に表されているようにガビオン１の施工のための適切な機械的特徴を表すとみなすことができることを理解されたい。必要に応じて、この網はいくつかの材料、具体的には、心材のために、網に構造耐力を与えるために例えば金属から作成された１つの材料、および心材を保護するために例えば高分子から作成された被覆材料から作成することができる。
【００１８】
図１、図２、図５および図６に明確に見られるように、ケージ１０は２つの垂直前壁１２および１３を含み、前壁１２および１３はその２つの側面上に互いに対向してそれぞれが配置される。これらの前壁１２および１３は底部１１から互いに平行に延在する。前壁１２および１３のそれぞれは、平坦な網１２．１および１３．１から形成され、それを施工する形は、本発明に限定されず、機能的に、また構造的にさえも底部１１の網１１．１の施工の形に類似している。施工の形に関わらず、網１２．１および１３．１は、これに限定されないが、通常クリップ、ワイヤタイ、その他を使用するあらゆる適切な手段により底部１１の網１１．１に固定される。
【００１９】
また図１、図２および図５にも明確に見られるように、ケージ１０は２つの垂直側壁１４および１５を含み、側壁１４および１５は、前壁１２および１３によって占有された側面以外の、ケージの２つの対向する側面上に配置される。側壁１４および１５は、底部１１から互いに平行に延在する。これらの側壁１４および１５のそれぞれは、平坦な網１４．１および１５．１から形成され、それを施工する形は、本発明に限定されず、機能的に、また構造的にさえも網１１．１、１２．１および１３．１の施工の形に類似している。すべての場合に、網１４．１および１５．１は、底部１１において網１１．１に、また前壁１２および１３の網１２．１および１３．１に、網１１．１、１２．１および１３．１を固定するために上に言及された手段などのあらゆる適切な手段によって固定される。
【００２０】
ケージ１０の箱形状を考慮すると、前壁１２および１３は側壁１４および１５と同じ垂直寸法を表す。これらの図面で考慮された実施例では、前壁１２および１３は、側壁１４および１５の水平寸法より大きい水平寸法、例えば壁１４および１５の水平寸法のほぼ２倍を表すが、それにもかかわらずこの寸法のアスペクトが本発明に限定されないことに留意されたい。非限定的な寸法例として、壁１２〜１５の垂直寸法は０．５ｍ〜２．５ｍであり、壁１２〜１５の水平寸法は０．５ｍ〜５ｍである。
【００２１】
ケージ１０は内容積Ｖ１０を表し、内容積Ｖ１０は、前壁１２および１３ならびに側壁１４および１５と一緒に底部１１に隣接する。
【００２２】
また図１、図２、図５および図６に明確に見られるように、ガビオン１は、参照番号２０および３０のそれぞれの２つの区画仕切板も含む。これらの区画仕切板２０および３０はケージ１０内で、すなわちケージ１０の内容積Ｖ１０内で互いに平行に設置され、垂直かつ前壁１２および１３に平行に延在する。区画仕切板２０は前壁１２により近い一方で、区画仕切板３０は前壁１３により近い。実際に後に現れるために、区画仕切板２０および３０のそれぞれはケージ１０の底部１１から、その下縁部が必ずしも底部１１と接合部を形成することなく、また前壁１２および１３ならびに側壁１４および１５の上縁部の高さに、その上縁部が必ずしもそれらの前壁および側壁に触れることなく垂直に延在する。区画仕切板２０および３０のより正確な特徴は後に提供するものとする。
【００２３】
施工するその形に関わらず、区画仕切板２０および３０のそれぞれは、ケージ１０内で側壁１４から側壁１５に延在し、それらの側壁１４および１５のそれぞれに堅固に結び付けられる。ケージ１０の内容積Ｖ１０は、このようにして３つの個別の区画、すなわち２つの前区画Ｃ１およびＣ２ならびに中間区画Ｃ３に分割される。
【００２４】
図５および図６に明確に見られるように、中間区画Ｃ３はケージ１０の内容積Ｖ１０の一部に対応し、区画仕切板２０および３０に隣接する。中間区画Ｃ３は、ケージ１０の内容積Ｖ１０の５０％、または４０％以下、または３０％以下、または２０％以下、または１０％以下に対応する。寸法例としてであって限定としてではなく、中間区画は水平寸法、すなわち区画仕切板２０と３０との間の距離を表し、これは例えば１０ｃｍ〜５０ｃｍであることが可能である。前区画Ｃ１およびＣ２は内容積Ｖ１０の残余部に対応し、前区画Ｃ１は区画仕切板２０および前壁１２に隣接する一方で、前区画Ｃ２は区画仕切板３０および前壁１３に隣接する。下方にいくと、前区画Ｃ１およびＣ２ならびに中間区画Ｃ３はケージ１０の底部１１に、より正確にはその底部１１に対応するそれぞれの部分に隣接する。横方向には、前区画Ｃ１およびＣ２ならびに中間区画Ｃ３は一方の側面上で側壁１４に、より正確にはその側壁１４に対応するそれぞれの部分に、また反対側の側面上で側面１５に、より正確にはその側壁１５に対応するそれぞれの部分に隣接する。
【００２５】
またガビオン１は垂直隔壁仕切板４０も含む。図１、図２および図５に明確に見られるように、隔壁仕切板４０はケージ１０の内容積Ｖ１０に側壁１４および１５に平行に据えられ、各前壁１２と１３との間に堅固に連結させることにより前壁１２および１３から延在する。図で考えられる実施例において、隔壁仕切板４０は側壁１４と１５との間の中間に配置される。図５に明確に見られるように、隔壁仕切板４０はこのとき前区画Ｃ１を通って、中間区画Ｃ３を通って、前区画Ｃ２を通って延在し、このようにしてそれらの区画のそれぞれを隔壁仕切板４０の両側面に、より正確には関与する区画内に置かれた隔壁仕切板４０の両側面に配置された２つの副区画に細分する。垂直方向には、隔壁仕切板４０は、その下縁部が必ずしも底部１１と接合部を形成することなく、また前壁１２および１３ならびに側壁１４および１５の上縁部の高さに、その上縁部が必ずしもそれらの前壁および側壁に触れることなく、ケージ１０の底部１１の間に延在する。
【００２６】
図で考えられる例において、隔壁仕切板４０は平坦な網４０．１を含み、その施工の形は、本発明に限定されず、機能的に、また構造的にさえも網１１．１、１２．１、１３．１、１４．１および１５．１の施工の形に類似している。隔壁仕切板４０の網４０．１は、前壁１２および１３上の網１２．１および１３．１に、さらに底部１１の網１１．１に、上に言及されたように必要に応じてクリップまたはワイヤタイなどのあらゆる適切な手段を使用して強固に固定される。
【００２７】
加えてガビオン１は２つの垂直昇降仕切板５０および６０を含む。図２および図５に明確に見られるように、昇降仕切板５０および６０のそれぞれはケージ１０の内容積Ｖ１０内に側壁１４および１５に平行に据えられ、前壁１２から１３に延在し、したがって互いに強固にこれらの前壁のそれぞれに結び付けられる。図で考えられる例において、昇降仕切板５０および６０は隔壁仕切板４０の両側面に配置される。昇降仕切板５０は隔壁仕切板４０から側壁１４の中間に配置される一方で、昇降仕切板６０は隔壁仕切板４０から側壁１５の中間に配置される。
【００２８】
垂直方向には、昇降仕切板５０および６０のそれぞれはケージ１０の底部１１から延在する。各昇降仕切板の下縁部は、必ずしも底部１１に連続しないが、好ましくは前壁１２および１３ならびに側壁１４および１５の上縁部に連続し、昇降仕切板５０および６０のそれぞれの上縁部は、２つの把持ハンドル５１および６１のそれぞれを含み、把持ハンドル５１および６１は隣接し、または前壁および側壁の上縁部からわずかに後退する。図で考えられる実施例において、ハンドル５１および６１は、図３にそれのみが示されている昇降仕切板５０上の２つのハンドル５１に明確に見られるように、昇降仕切板５０および６０のそれぞれの上縁部を横切って均等に広がっている。図において、ハンドル５１および６１は、純粋に視覚的目的で実際よりさらに離れて描かれていることに留意されたい。
【００２９】
図１および図５に明確に見られるように、昇降仕切板５０および６０のそれぞれは、前壁１２から前壁１３に延在し、このとき前区画Ｃ１を横切り、中間区画Ｃ３を横切り、前区画Ｃ２を横切る。このようにして、前区画Ｃ１の中に設置された昇降仕切板５０の一部および昇降仕切板６０の一部は、それぞれが前区画Ｃ１の２つの副区画を細分し、隔壁仕切板４０に片側が隣接する。同様のことが、前区画Ｃ２の中に設置された昇降仕切板５０の一部および昇降仕切板６０の一部に適用される。同様に、中間区画Ｃ３の中に設置された昇降仕切板５０の一部および昇降仕切板６０の一部は、それぞれが中間区画Ｃ３の２つの副区画を細分し、隔壁仕切板４０に片側が隣接する。
【００３０】
図で考えられる実施例において、昇降仕切板５０および６０のそれぞれは、平坦な網５０．１および６０．１のそれぞれから形成され、その施工の形は、本発明に限定されず、機能的に、また構造的にさえも網１１．１、１２．１、１３．１、１４．１、１５．１および４０．１の施工の形に類似している。このようにして昇降仕切板５０に対して図３に明確に見られるように、その仕切板に対して網５０．１は金属ワイヤの網から形成され、その一部は互いに平行である一方で、その他は互いに平行であり、また網５０．１内で様々なワイヤが一緒に長方形または正方形断面の開いた網格子を形成するように、前のワイヤから垂直に延在する。また図３に明確に見られるように、昇降仕切板５０内の網５０．１は２つのワイヤ５０．２によって完結され、ワイヤ５０．２は「Ｕ」字形に下方に面して形成され、その丸みを帯びた基部は昇降仕切板５０の上縁部の上に設置され、それぞれは２つの把持ハンドル５１を形成する。それらのワイヤ５０．２は、それぞれがあらゆる適切な手段により、通常は篏合および／または溶接を使用して網５０．１に強固に固定される。昇降仕切板６０上の網６０．１は、昇降仕切板５０上の網５０．１に対してまさに記載されたものと同様の構造を表す。どちらの場合も、把持ハンドル５１および６１は、それらの対応する昇降仕切板５０および６０のそれぞれから、網５０．１および６０．１のそれぞれの中に堅固に築かれる一方で、それらの昇降仕切板のための巻上げ点および引上げ点をそれぞれが形成し、巻上げ点および引上げ点はそれらの昇降仕切板の上縁部の中に築かれ、またケージ１０の幾何学的上面と同じ高さで垂直に配置され、具体的には、巻上げ点および引上げ点はその幾何学的面の上に著しく出ない。
【００３１】
前壁１２および１３のそれぞれに当接するそれらの縁部の高さで、昇降仕切板５０および６０のそれぞれの網５０．１および６０．１は、上に言及された手段などのあらゆる適切な手段を使用して、前壁１２および１３の網１２．１および１３．１に固定される。必要に応じて、各網５０．１および６０．１の下縁部は基部１１の網１１．１に固定されてもよい。
【００３２】
昇降仕切板５０および６０ならびに２つの区画仕切板２０および３０のそれぞれの交差を実施するために、図において実施され、図４において昇降仕切板５０に対して明確に見られる解決策は、２つの平坦な網２０．１および２０．２、ならびに３０．１および３０．２のそれぞれを含むそれらの区画仕切板２０および３０のそれぞれからなる。区画仕切板２０内の網２０．１および２０．２は、昇降仕切板５０上の網５０．１にその昇降仕切板の両側面上で固定され、区画仕切板３０内の網３０．１および３０．２は、昇降仕切板５０上の網５０．１に昇降仕切板５０の両側面上で固定される。上に言及された網の間の固定は、先に言及された手段などのあらゆる適切な手段を使用して行われる。区画仕切板２０および３０は、それぞれが追加の２つの平坦な網２０．３および２０．４、ならびに３０．３および３０．４のそれぞれを含み、網２０．３および２０．４、ならびに３０．３および３０．４は昇降仕切板６０上の網６０．１に、図１および図５に明確に見られるように、昇降仕切板６０の両側面上で固定される。側壁１４に当接するそれらの縁部に関しては、区画仕切板２０の網２０．１および区画仕切板３０の網３０．１は、側壁１４上の網１４．１に固定される。同じことが、側壁１５に当接するそれらの網の縁部に関して、側壁１５について網２０．４および３０．４に当てはまる。網２０．２および３０．２に関しては、昇降仕切板５０と反対側のそれらの縁部は隔壁仕切板４０に固定される。同じように、昇降仕切板６０の反対側の網２０．３および３０．３の縁部は、隔壁仕切板４０に固定される。必要に応じて、区画仕切板２０の網２０．１、２０．２、２０．３および２０．４の下縁部、ならびに区画仕切板３０の網３０．１、３０．２、３０．３および３０．４の下縁部は、底部１１上の網１１．１に固定される。実際に、網２０．１、２０．２、２０．３、２０．４、３０．１、３０．２、３０．３および３０．４の施工の形は、機能的に、また構造的にさえも網１１．１、１２．１、１３．１、１４．１、１５．１、４０．１、５０．１および６０．１の施工の形に類似している。
【００３３】
またガビオン１は、図５および図６に示されたように、前区画Ｃ１およびＣ２を充填する凝集体充填材料７０も含み、それらの図５および図６では、ガビオン１の残余部がその充填材料を通して見えるように部分的に透明に表されている一方で、図１および図２ではさらに明確にするため充填材料７０は示されていないことに留意されたい。充填材料７０内の集合体は、充填材料７０が底部１１、前壁１２および１３、側壁１４および１５、ならびに区画仕切板２０および３０を通過できないような、集合体の粒子の大きさを表すという事実により、その充填材料７０は前区画Ｃ１およびＣ２内に維持される。実際に充填材料７０には、網１１．１、１２．１、１３．１、１４．１、１５．１、２０．１、２０．２、２０．３、２０．４、３０．１、３０．２、３０．３および３０．４のいずれも通過できる大きさの集合体の顆粒はない。
【００３４】
一実施形態によれば、充填材料７０は、表現の最も広い意味において、すなわち自然に砕けた状態の石、小石および岩、ならびに人間の行為によって砕かれた石ブロックの両方を含む砕石である。したがって充填材料７０の集合体の大きさは、前区画Ｃ１およびＣ２内に維持される一方で、ガビオン１の残余部より数倍大きい値である大きい質量をガビオン１に与えるという条件で、他の形の実施も充填材料７０とみなすことができる。例としてだが限定としてではなく、充填材料７０はこのようにして
建築現場の瓦礫と、
クリンカと、
粉砕ガラスと、
木材片、プラスチック材料片、複合材料片、大理石、白亜、石灰岩、白雲石またはバリウム片と、
二酸化炭素および１つもしくは複数の酸で表面反応を受けた、天然炭酸カルシウムまたは沈降炭酸カルシウムであって、二酸化炭素はその場で酸の作用によって形成され、かつ／または外部源に由来する、天然炭酸カルシウムまたは沈降炭酸カルシウムと、
上述の組合せと、を含んでもよい。天然炭酸カルシウムは、好ましくは大理石、白亜、石灰岩、白雲石およびそれらの組合せを含有する群から選択されたカルシウム無機塩を含有する、炭酸カルシウムから選択される。また天然炭酸カルシウムは、炭酸マグネシウム、ケイ酸アルミニウム、その他などの天然起源の成分も含んでもよい。
【００３５】
炭酸カルシウム殿物は、水媒体内の二酸化炭素と水酸化カルシウムとの間の反応後の沈殿によって、または水中のカルシウムと炭酸イオン源との間の沈殿によって、またはカルシウムと炭酸イオン、例えばＣａＣｌ２とＮａ２ＣＯ３との間の沈殿によって、概して溶液から得られる合成物質である。炭酸カルシウム殿物がアンモニアを生成する副産物である工程などの、炭酸カルシウムを生成するための他の選択肢が公知である。炭酸カルシウム殿物は、３つの主な結晶形、すなわち方解石、霰石およびヴァテライト内に存在し、いくつかの異なる多形がこれらの結晶形のそれぞれに存在する。獲得された炭酸カルシウム殿物の懸濁液は、機械的に脱水され乾燥されてもよい。
【００３６】
天然炭酸カルシウムまたは殿物は、二酸化炭素および酸と処理される前に粉砕されてもよい。
【００３７】
表面反応した天然炭酸カルシウムの調合に関する他の詳細は、国際公開第００／３９２２２Ａ１号、国際公開第２００４／０８３３１６Ａ１号、国際公開第２００５／１２１２５７Ａ２号、国際公開第２００９／０７４４９２Ａ１号、欧州特許出願公開第２２６４１０８Ａ１号、欧州特許出願公開第２２６４１０９Ａ１号および米国特許出願公開第２００４／００２０４１０Ａ１号に記載されており、読者はこれらを参照することができる。
【００３８】
同じように、国際公開第２００９／０７４４９２Ａ１号に説明されたように、表面反応した炭酸カルシウム殿物は、表面反応した炭酸カルシウム殿物の懸濁液を形成するように、水中に溶けないカルシウム塩を形成できる水性環境に分解された、Ｈ３Ｏ＋イオンおよびアニオンと接触する炭酸カルシウム殿物を加えることによって獲得される。このようにして表面反応した炭酸カルシウム殿物は、それらのアニオンにより溶けない塩、すなわち最後に炭酸カルシウム殿物の一部により表面に形成された少なくとも部分的な結晶を含む。
【００３９】
変形として、一旦天然炭酸カルシウムまたは殿物が酸および炭酸カルシウムとの反応をすでに開始すると、ケイ酸塩および／またはシリカおよび／または水酸化アルミニウムおよび／またはアルカリ土類アルミン酸塩および／または酸化マグネシウム成分を、水中で天然炭酸カルシウムまたは殿物の懸濁液に加えてもよい。表面反応後の天然炭酸カルシウムまたは殿物のこのような調合に関するさらなる詳細は、国際公開第２００４／０８３３１６Ａ１号に記載されている。
【００４０】
上記の水中の懸濁液は乾燥されてもよく、表面反応を受けた天然炭酸カルシウムまたは殿物は、このようにして固形（すなわち流体形ではない、乾燥もしくは残留水分を含有するもの）、または顆粒もしくは粉末などの粒形で獲得される。
【００４１】
ガビオン１は、防音体を構築する目的として、いくつかのガビオン１を使用する例の観点から以下に提示する他の特徴を表す。その使用は以下に詳述され、図７および図８に一部が示されている。
【００４２】
図７に示されたステップの前に、区画仕切板２０および３０、隔壁仕切板４０および昇降仕切板５０および７０に加えて、ケージ１０の底部１１、前壁１２および１３ならびに側壁１４および１５が組み立てられ、上に提示されたように、例えばステープリングツールを使用して所定の位置に置かれた金属クリップを使用して互いに固定される。実際に、例えば砕石集合体を取り出して生成するために砕石場の現場で、充填材料７０の在庫のすぐ近くでこの組立て操作を実施することは有利である。
【００４３】
次いで常に図７に示されたステップの前に、ガビオン１の前区画Ｃ１およびＣ２は、例えばその集合体材料を載荷するための機器を使用して、充填材料７０で充填され、集合体材料は中間区画Ｃ３の内側に入らないことに注意する。前区画Ｃ１およびＣ２を集合体充填材料７０で充填することは、好ましくは多方向にガビオン１に加えられる振動下で、区画Ｃ１およびＣ２内でその材料７０内の集合体の振動締固めを生成するような方法で行われることが有利である。すべての場合に、隔壁仕切板４０ならびに昇降仕切板５０および６０は、前区画Ｃ１およびＣ２を充填中に、前壁１２と１３ならびに必要に応じて底部１１との間の載荷の伝送および分担によって、ケージ１０ならびに区画仕切板２０および３０の機械抵抗を強化することにより、ガビオン１の構築の安定性に寄与することを理解されたい。
【００４４】
実際に、充填材料７０は前区画Ｃ１およびＣ２の中に導入され、隔壁仕切板４０の両側、および昇降仕切板５０および６０のそれぞれの両側のどちらにも分担され、言い換えれば、隔壁仕切板４０ならびに昇降仕切板５０および６０の存在は、前区画Ｃ１およびＣ２を充填材料７０で充填しやすいことに影響を及ぼさない。
【００４５】
依然として図７に示されたステップの前に、ガビオン１は、前区画Ｃ１およびＣ２が充填材料７０で充填されたその最初の位置から、ガビオンが最後に据えられるべきその最後の位置に動かされる。このために、移動式クレーンまたは同様のものなどの最初の昇降装置を使用することができ、その昇降アームは４つの把持ハンドル５１および６１に取り付けられる。その昇降装置のアームを持ち上げることにより、ガビオン１は、把持ハンドル５１および６１を引っ張ることによりその最初の位置からトラックまたは同様の輸送車両の載荷板の上に持ち上げられる。次いで輸送車両はガビオン１を、防音壁が構築される現場に輸送されるべきであり、その場所は図７および図８に示されている。その場で昇降装置の第２の品目を使用して輸送車両の載荷板から構築される防音壁内のその最後の位置までガビオン１を持ち上げ、図７では昇降機器のその第２の品目の昇降アームは参照番号１００をもち、これは４つの鎖１０１を使用してガビオン１上の４つの把持ハンドル５１および６１に取り付けられる。当然のことながら図７に示されたアーム１００および鎖１０１は、ガビオン１を防音壁内のその最後の位置に持ち上げることができる機器の例に過ぎない。
【００４６】
実際に、前区画Ｃ１およびＣ２は充填材料７０で充填される場所、ならびに防音壁の構築現場は数キロメートル離れてもよく、いずれにしても技術的な理由で静止した昇降装置により網羅できるより長い距離を離れていてもよいことが理解できる。したがってこれには、その場所と上に言及された作業現場との間でガビオン１を輸送するために車両の使用が必要である。
【００４７】
上に言及されたその最初の位置から防音壁内のその最後の位置にガビオン１を持ち上げるための様々な操作中に、昇降仕切板５０および６０は、昇降からの機械的負荷、より一般的にはガビオン１を動かす機械的負荷を、ケージ１０の前壁１２と１３ならびに必要に応じて底部１１との間で伝送および分担できる。したがってそれらの昇降仕切板５０および６０は、ガビオン１を取り扱っているときにケージの構築の安定性に貢献する一方で、それらの操作中に前区画Ｃ１およびＣ２内に充填材料７０が存在するために、ケージ１０が大きな負荷を受けることを強調しておく。同じように、ガビオン１を持ち上げることを可能とせずに、隔壁仕切板４０はケージ１０の構築の安定性を強化する。
【００４８】
図７に表されたように、ガビオン１は、構築の過程で防音壁内のガビオン１と類似した、他のガビオンと一体になる。他のガビオンはガビオン１の前にそれぞれの最後の位置に据えられた。実際にガビオン１は、それらの最後の位置にすでに据えられた他のガビオンに関して、
一方で、ガビオン１は、ガビオン１の中間区画Ｃ３の少なくとも一部が、別のガビオン１’の中間区画Ｃ３’の少なくとも一部の上に垂直に位置付けられる方法で、ガビオン１’の上部の上に置かれ、
一方で、ガビオン１は、ガビオン１の中間区画Ｃ３が、別のガビオン１’’の中間区画Ｃ３’’の隣に水平に置かれる方法で、ガビオン１’’の側壁１５’’にその側壁１４を当接させることにより、ガビオン１’’に並置されるような方法で置かれる。
【００４９】
実際に、ガビオン１、１’および１’’の水平方向および垂直方向の両方の位置合わせは、厳密に正確である必要はなく、それらのガビオンのそれぞれの中間区画Ｃ３、Ｃ３’およびＣ３’’は少なくとも一部が位置合わせされる。同じように、図７に示された例のように、積み重ねられたガビオン１および１’のケージ１０および１０’は、ガビオン１’’の側壁１５’’がガビオン１’の側壁の１つの上に垂直ではなく、ガビオン１’のそれらの側壁の間にあるような方法で、互いに対して水平に移動されてもよい。
【００５０】
積み重ねるガビオン１および１’は、ガビオン１’のための把持ハンドルがそのガビオン１’のケージ１０’の幾何学的上面を超えて突出せず、したがってそれらのハンドルは、ガビオン１のケージ１０の底部基礎１１と干渉しないという事実によって好ましいことに気付くであろう。
【００５１】
一旦ガビオン１が防音壁内のその最後の位置に据えられると、ガビオン１は図８に示された状態になる。次いで遮音材料２は、ガビオン１の中間区画Ｃ３の中に注入され、中間区画Ｃ３を通ってその遮音材料２は重力の作用によって広がる。充填材料７０についてと同じように、材料２は粒状集合体である。しかしその材料２は、材料２が充填材料７０より良好な遮音を表すという事実を通じて、材料７０と区別することができる。充填材料７０と比べて、材料２に対するその遮音性能は、材料のある特定の本来の特徴、具体的にはその密度および粒子の大きさに関係せざるを得ない。
【００５２】
例えば遮音材料２は、段階的な集合体の混合、すなわち０／１４ｍｍ〜０／６３ｍｍの粒子の大きさを有する砂と砂利の混合から作成される。遮音材料２の別の例はコンクリートであり、コンクリートは混合されてすぐに中間区画Ｃ３の中に注入され、次いでその区画Ｃ３の内部で固まり硬化する。また他の例は、
砕石現場の瓦礫、
砕いた採掘スラグ、
大理石、白亜、石灰岩、白雲石またはバリウムの砕片、
二酸化炭素および１つまたは複数の酸で表面反応を受けた天然炭酸カルシウムまたは炭酸カルシウム殿物の顆粒であって、二酸化炭素は酸（複数可）の作用によりその場で形成され、かつ／または外部源に由来する、天然炭酸カルシウムまたは炭酸カルシウム殿物の顆粒、
それらの混合物などの材料２であるとみなすことができる。
【００５３】
より一般的には、遮音材料２は、充填材料７０の粒子より小さい粒子の大きさを含み、この材料２の粒子の大きさは必要に応じて結合剤により、また具体的にはその材料２に適切な水性結合剤により一緒に結び付けられなければならないことが理解されよう。
【００５４】
本発明の重要な特徴によれば、昇降仕切板５０および６０、より正確にはガビオン１の区画Ｃ３内に置かれたそれらの仕切板の一部および遮音材料２は、材料２が中間区画Ｃ３の中に注入されたときに、材料２の粒子が昇降仕切板５０および６０の両側を横断しなければならず、昇降仕切板５０および６０のそれぞれの両側面を中間区画Ｃ３内で自由に広がるように配置される。実際に、昇降仕切板５０および６０のそれぞれの格子５０．１および６０．１の網は、遮音材料の集合体が通過できるように十分に大きいことが理解できる。同じように、これは隔壁仕切板４０の格子細工４０１内の網に対して有益である。したがってガビオン１内で、材料２は中間区画Ｃ３の中に注入され、中間区画Ｃ３が充填されるまで昇降仕切板５０および６０ならびに隔壁仕切板４０を通ることを含み、中間区画全体の中に容易に広がる。材料２は区画Ｃ３を充填し、区画仕切板２０と３０との間に遮音を形成し、したがって前壁１２と１３との間でガビオン１に遮音を与える。前区画Ｃ１およびＣ２内の充填材料７０はその遮音に寄与するが、中間区画Ｃ３内の材料２によって寄与される遮音より非常に小さい。
【００５５】
さらにガビオン１の底部１１の格子細工１１．１における網が遮音材料２も通過させるのであれば、材料２をガビオン１の中間区画Ｃ３の中に注入することにより、このガビオンのケージ１０の底部１１を通って、より正確には区画Ｃ３に隣接するその底部１１の一部を通ってその材料２が濾出し、次いで遮音材料２はガビオン１’の中間区画Ｃ３’内の材料と接合することが理解できる。このようにして材料２も、またガビオン１がガビオン１’の上に据えられる前に、中間区画Ｃ３’が遮音材料２によって充填されなかった場合に、中間区画Ｃ３’を充填するはずである。当然変形として、ガビオン１’の中間区画Ｃ３’の充填は、そのガビオン１’の据え付けとガビオン１の据え付けとの間で実施されてもよい。いずれの場合も、すなわち積み重ねられたガビオン１および１’が、どちらも同時に充填されるそれらの中間区画Ｃ３およびＣ３’を有する場合、ならびにガビオン１がガビオン１’の上部に据えられる前に、ガビオン１’の中間区画Ｃ３’が、少なくとも部分的に充填される場合の両方の場合に、遮音材料２の顆粒がガビオン１の底部１１の網１１．１を自由に通過できることにより、材料２は、ガビオン１の中間区画Ｃ３とガビオン１’の中間区画Ｃ３’との間に接合部を継ぎ目なしに形成し、より正確には区画Ｃ３の底部が区画Ｃ３’の上部と継ぎ目がない接合部を形成することが理解できる。
【００５６】
同じように、側壁１４および１５の格子細工１４．１および１５．１の網により材料２の顆粒がそれらの側壁１４および１５を自由に通過できるならば、材料２は、遮音材料２を中間区画Ｃ３の中に注入する際、かつ／または材料２をガビオン１’’の中間区画Ｃ３’’の中に注入する間、ガビオン１の側壁１４およびガビオン１’’の側壁１５’’を首尾よく横切ることにより、ガビオン１の中間区画Ｃ３をガビオン１’’の中間区画Ｃ３’’と継ぎ目なしに接合させる。
【００５７】
より一般的には、上の説明を考慮すると、中間区画Ｃ３を遮音材料２で充填することにより、その材料２は中間区画Ｃ３と隣接した中間区画Ｃ３’およびＣ３’’との間に連続した遮音を形成し、このようにして積み重ねられた接合部および／または防音壁を形成する様々なガビオンの隣接した接合部に防音をもたらすことが理解できる。
【００５８】
実際に図８に表されたように、注ぎ口１０２は、遮音材料２を注入するときに、その注ぎ口１０２の底部への出口を中間区画Ｃ３の上部における出口に適合できるので、中間区画Ｃ３の上部内にその注入を導くために、ガビオン１の上に有益に使用されてもよい。
【００５９】
図８で実施されている任意選択の有利な配置によれば、ガビオン１の側壁１５は、その側壁１５の一部の上の外側で塞がれ、したがって中間区画Ｃ３の輪郭を描く。そのようにするために、図８に図式的に示されたように、中間区画Ｃ３のための側部閉塞要素１０３は、側壁１５の外面に追加される。そのようにして区画Ｃ３の中に注入された遮音材料２は、遮音材料２が側壁１５を通って外側に注入されることなく、中間区画Ｃ３内に維持される。当然のことながら、その側部閉塞要素１０３を施工することは、それに対してその側部閉塞要素が加えられるガビオンの側壁が、構築される防音壁内の自由端を含む断面の少なくとも一部を形成するときに価値があるに過ぎないことが理解できる。実際に、側部閉塞要素１０３に対する施工の形は限定されず、施工のその形は、さらに材料２の性質に従って適合させることができる。このようにして遮音材料２が砂および砂利で作成されるとき、梱包材料に関わらず、防水布または従来の技法の下で作成されたガビオン、すなわちその内部ケージの総容積が充填材料７０と類似した材料で充填されたガビオンを使用することができる。遮音材料２がコンクリートである場合、側部閉塞要素１０３は、厚板、例えばより一般的には型枠であることが可能である。
【００６０】
側部閉塞要素１０３に関する上述の側部閉塞要素に類似した考えによれば、据え付け時に防音壁の基部において第１のガビオンまたはガビオン１’などの並置されたガビオンの第１の列から構築されることに気付くことができ、底部１１の外面を遮断することは、底部１１の一部において防音壁内で最下ガビオン（複数可）の中間区画と隣接するとみなすことができる。実際に、防音壁の第１のガビオンを据え付ける前に作成され、または発掘されたスラブまたは同様のものなどの基盤１０４により、その後一旦遮音材料２がそれらのガビオンの中間区画の中に注入されると、この材料２を防音壁の下に生成品を濾出または散らすいかなる危険もなく、関与する中間区画内に維持することができる。
【００６１】
区画仕切板２０および３０に関して、遮音材料２は、ガビオン１の中間区画Ｃ３から区画仕切板２０および３０を通って広がる傾向があることにさらに気付くであろう。しかし実際には、前区画Ｃ１およびＣ２内に存在する充填材料７０は、区画仕切板２０および３０の近接部を超えて遮音材料２が濾出する可能性を制限する。任意選択として、中間区画Ｃ３に隣接する網２０．１、２０．２、２０．３、２０．４、３０．１、３０．２、３０．３および３０．４のそれぞれの全面をジオテキスタイルのシートまたはジオシンセティック遮蔽で覆うことにより、遮音材料２が中間区画Ｃ３から区画仕切板２０および３０のそれらの網を横断するのを防ぐとみなすことができる。
【００６２】
図８に示されたステップの最後に、すなわち防音壁の一部を形成するガビオンのそれぞれの中間区画、具体的にはガビオン１の中間区画Ｃ３を充填した後、遮音材料２は圧縮されることが有益であることがある。そのようにするために、内部振動機またはランマーが、遮音材料２に最上ガビオンの中間区画の上部開口を介して加え用いられる。必要であれば、その圧縮の最後に、追加の遮音材料２が中間区画Ｃ３の中に注入される。
【００６３】
最後に任意選択で、防音壁内の最上ガビオンの中間区画の上部開口は、防音壁の上部に加えられたあらゆる適切な手段により風雨から守られる。
【００６４】
したがってまさに記載された施工の工程の最後に獲得された防音壁は、迅速で容易な方法、具体的には昇降仕切板５０および６０の恩恵により施工される一方で、遮音材料２を使用する防音の恩恵により、また壁の構築の安定性に関して、ガビオン内でケージの変形がなく、これらのケージの間を遮音材料により連続して接合する恩恵により、その壁の遮音に関して特に高い性能を残す。
【００６５】
この方法で築かれた防音壁は、土木工事、公共事業、産業設備または個人建築の一部を構成し、または形成してもよい。
【００６６】
ガビオン１に対して描かれていない施工の変形によれば、それらの中間区画Ｃ３は、粒状の遮音材料２に加えて、区画Ｃ３を上部で開いたいくつかのハニカム構造に再分割するような方法で、区画Ｃ３内で垂直に設置された半剛性シートまたは板またはパネルを受領してもよい。次いでそれらのハニカム構造は、具体的には築かれた防音壁の性能および費用を調節するために、様々な遮音材料で充填することが可能である。
【００６７】
上記を補完できる可能性がある態様によれば、ガビオン１を使用して防火壁を築くことができる。次いで実際に、壁の耐火機能は、ガビオン１内の中間区画Ｃ３内の充填材の性質と密接な関係があり、遮音材料２は防火型を選択することができ、またはそのために処理することができるので、そのようにして得られた壁は防音壁および耐火壁の両方である。また防火材料または不燃性材料は、防音壁および耐火壁の両方である壁を得るために遮音材料２への追加として、または耐火壁を得るために遮音材料を交換するために中間区画Ｃ３内に置くこともできる。
【００６８】
試験した試料
防音壁は、互いに同一のいくつかのガビオン１を積み重ねることによって建てられた。使用した網１１．１、１２．１、１３．１、１４．１、１５．１、２０．１、２０．２、２０．３、２０．４、３０．１、３０．２、３０．３、３０．４、４０．１、５０．１および６０．１は同一であり、５ｃｍ×１０ｃｍの長方形の格子であった。網１１．１、１２．１および１３．１の寸法は２００ｃｍ×１００ｃｍであったが、網１４．１および１５．１の寸法は１００ｃｍ×１００ｃｍであったので、ケージ１０の内容積Ｖ１０は２ｍ３になった。
【００６９】
網５０．１および６０．１の寸法は水平方向に１００ｃｍ、高さは９０ｃｍであった。また把持ハンドル５１および６１は網５０．１および６０．１の上縁部に向かってさらに１０ｃｍ延在する。
【００７０】
各網２０．１、２０．２、２０．３、２０．４、３０．１、３０．２、３０．３および３０．４の寸法は、水平方向に５０ｃｍ、垂直方向に１００ｃｍであった。区画仕切板２０および３０はそれらの間に２０ｃｍの隙間をおいて設置された。
【００７１】
網４０．１の寸法は１００ｃｍ×１００ｃｍであった。
【００７２】
充填材料７０は砕石であり、粒子の大きさは８０／１３０ｍｍであった。
【００７３】
遮音材料２は砂と砂利の集合体であり、粒の大きさは０／３０ｍｍであった。
【００７４】
防音壁は１２個のガビオンから築かれ、互いの上部の上に積み重ねて３列に設置され、各列は４個の並置されたガビオンで作成された。
【００７５】
防音壁の試験は仏国国家規格ＮＦＥＮ１７９３−６に準拠して実施され、クラスＤ４、すなわち上に引用された規格に画定された最高クラスに入る優れた防音を確認した。これは約４０デシベルの空気騒音遮音値（ＤＬＳＩ，Ｇ）に対応する。
【００７６】
区画仕切板２０および３０内でジオテキスタイルのシートの有無に関わらず、同様の防音性能が観察された。
【００７７】
さらに上に検討され、ガビオン１のいくつかの実例に関与する防音壁、ならびにガビオン１を施工する工程におけるガビオン１の様々な配置および変形を予想することができる。以下は一部の例である、すなわち、
底部１１、前壁１２および１３ならびに側壁１４および１５に加えて、ガビオン１のケージ１０は、任意選択として内容積Ｖ１０をケージ１０の上部で閉囲する蓋を含んでもよく、実際に、その蓋は１つまたは複数の網を含み、１つまたは複数の網は必要であれば中間区画Ｃ３に加えて少なくとも前区画Ｃ１およびＣ２を覆い、その蓋はそのようにして具体的にはガビオン１が動くときに前区画Ｃ１およびＣ２内に充填材料７０を確実に保持する一方で、中間区画Ｃ３を遮音材料２で充填するときに、その材料２は蓋を通過でき、
具体的にはガビオン１のケージ１０の寸法により、隔壁仕切板４０を除外することができ、またはそれどころか、数個の隔壁仕切板を提供することができ、同様に単一の昇降仕切板、またはそれどころか３つ以上の昇降仕切板を提供することができる。同じ考え方で、各昇降仕切板に対して、単一の把持ハンドルまたは３つ以上の把持ハンドルが提供されてもよい。より一般的には隔壁および昇降に関する配置を、ガビオン１の大きさに適合させることができ、かつ／または
前壁１２と１３との間の中央位置を占有する代わりに、中間区画Ｃ３を前壁の一方により近く配置してもよい。
【図１】
2019507261.tif 000003
【図２】
2019507261.tif 000004
【図３】
2019507261.tif 000005
【図４】
2019507261.tif 000006
【図５】
2019507261.tif 000007
【図６】
2019507261.tif 000008
【図７】
2019507261.tif 000009
【図８】
2019507261.tif 000010
【国際調査報告】
2019507261.tif 000011
2019507261.tif 000012